(57)【要約】【課題】本発明は、スライド操作時におけるカバー部材のがたつきが抑制された携帯電子機器を提供することを目的とする。【解決手段】本発明における携帯電話機１は、開口部１８ａが形成された操作部側筐体２と、開口部１８ａに嵌合されて該開ロ部１８ａを閉塞するキャップ本体部１９ａとキャップ本体部１９ａから第１方向に延びるように延設される舌片部１９ｂとを有するキャップ１９と、操作部側筐体２内に形成され舌片部１９ｂを第１方向にスライド可能に保持する保持部材と、を備える。舌片部１９ｂには、第１方向に垂直な第２方向における一方側の面に第１方向へ延びるように段差部８５、８５が形成され、保持部材には、段差部８５、８５に係合して舌片部１９ｂの第２方向における一方側への移動を規制するガイド部８１と、舌片部１９ｂの第２方向における他方側の面に係合して該舌片部１９ｂの第１方向における操作部側筐体２の外側への移動を規制するリブ８２とが形成されることを特徴とする。【選択図】図５
2008294767.tif 000002
【特許請求の範囲】
【請求項１】
開口部が形成された筐体と、
前記開口部に嵌合されて該開ロ部を閉塞するカバー本体部と前記カバー本体部から第１方向に延びるように延設される舌片部とを有するカバー部材と、
前記筐体内に形成され前記舌片部を前記第１方向にスライド可能に保持する保持部材と、を備え、
前記舌片部には、前記第１方向に垂直な第２方向における一方側の面に前記第１方向へ延びるように段差部が形成され、
前記保持部材には、前記段差部に係合して前記舌片部の前記第２方向における前記一方側への移動を規制する第１規制部と、前記第２方向における他方側で前記舌片部に係合して該舌片部の前記第１方向における前記筐体の外側への移動を規制する第２規制部とが形成されることを特徴とする携帯電子機器。
【請求項２】
前記舌片部は、前記第２方向における前記他方側に、前記第２規制部が係合する凹部又は開口部が形成される請求項１に記載の携帯電子機器。
【請求項３】
前記第１規制部は、前記筐体を構成するケース部材に配設され、
前記段差部は、前記第１規制部と前記ケース部材の一部とにより挟持される請求項１又は２に記載の携帯電子機器。
【請求項４】
前記第１規制部と前記第２規制部とは、前記カバー部材を前記筐体に取り付ける場合において、前記舌片部に前記第１規制部と前記第２規制部とが係合して取り付けられるよう前記第１方向に所定間隔をあけて形成される請求項１から３のいずれか１項に記載の携帯電子機器。
【請求項５】
前記第１規制部は、前記第２規制部よりも前記第１方向における前記筐体外側に形成される請求項１から４のいずれか１項に記載の携帯電子機器。
【請求項６】
前記第２規制部は、前記舌片部の前記第２方向における前記他方側から前記第２方向における前記一方側へ向かう方向の面側に突出して形成される突起部であり、
前記第２規制部又は前記舌片部の少なくとも一方には、前記カバー部材を前記筐体に取り付ける場合に、前記舌片部の先端部が前記第２規制部を乗り越えるための構造を有する請求項１から５のいずれか１項に記載の携帯電子機器。
【請求項７】
前記舌片部の前記第２方向における一方側の面と対向して配置される部材と、を更に備え、
前記舌片部は、前記部材によっても前記第２方向における一方側への移動が規制される請求項１から６のいずれか１項に記載の携帯電子機器。
【発明の詳細な説明】
【技術分野】
【０００１】
本発明は、携帯電話機等の携帯電子機器に関する。詳細には、筐体に形成された開口を閉塞するカバー部材を有する携帯電子機器に関する。
【背景技術】
【０００２】
近年、携帯電子機器としての携帯電話機は、その機能が高度化している。これに伴い、筐体に外部機器と接続するためのコードコネクタや、外部メモリ等を装着可能なカードコネクタ等が配置されている。このコードコネクタやカードコネクタ等のコネクタ部は、筐体に収容配置されると共に、該筐体に形成された開口から外部に露出するように配置される。そして、開口には、該開口に嵌合する保護カバーとしてのカバー部材が配置される。このカバー部材は、コネクタ部が使用されない場合には開口に嵌合されて該開口を閉塞し、コネクタ部が使用される場合には開口から脱離されてコネクタ部を外部に露出させる。ここで、カバー部材は、取り付け性や使用性の観点から、筐体にスライド可能に取り付けられている。
【０００３】
具体的には、携帯電話機のコネクタキャップ（カバー部材）の取り付け構造として、カバー本体と、カバー本体に筐体内部側へ延びるようにして連設される舌片部と、舌片部にスライド方向へ延設される係合孔とを有するコネクタキャップと、筐体内部に形成される先端が幅広な係合突起（キノコ状、Ｔ字状）部とを有し、この係合突起を係合孔に挿通させることにより、コネクタキャップを筐体にスライド可能に取り付ける構成が開示されている（例えば、特許文献１参照）。
【特許文献１】特開２００６−１０９０６１号公報
【発明の開示】
【発明が解決しようとする課題】
【０００４】
しかし、特許文献１に開示されたコネクタキャップの取り付け構造では、コネクタキャップのスライド方向に対して左右の幅方向や上下の垂直方向への移動を好適に規制することができず、スライド操作時にがたつくため、スライド操作感が良好であるとはいえなかった。また、係合突起は、コネクタキャップが係合突起から離脱することを抑制するために先端に幅広な部分を有することが必要であるため、筐体を薄型化する場合には不利な構造であった。また、コネクタキャップは、係合突起の上面から係合孔を挿通させて取り付ける必要があるので、コネクタキャップを筐体に取り付ける場合には、筐体を構成する複数のケース部材を互いに係合させる前の段階でコネクタキャップを取り付けることが必要であるという問題があった。
【０００５】
本発明は、開口部が形成された筐体と、開口に嵌合するカバー本体とカバー本体に延設される舌片部とを有するカバー部材と、を備える携帯電子機器であって、舌片部のスライド方向への移動を規制する規制部と、舌片部のスライド方向に垂直な方向への移動を規制する規制部と有することで、スライド操作時におけるカバー部材のがたつきが抑制された携帯電子機器を提供することを目的とする。
【課題を解決するための手段】
【０００６】
本発明は、開口部が形成された筐体と、前記開口部に嵌合されて該開ロ部を閉塞するカバー本体部と前記カバー本体部から第１方向に延びるように延設される舌片部とを有するカバー部材と、前記筐体内に形成され前記舌片部を前記第１方向にスライド可能に保持する保持部材と、を備え、前記舌片部には、前記第１方向に垂直な第２方向における一方側の面に前記第１方向へ延びるように段差部が形成され、前記保持部材には、前記段差部に係合して前記舌片部の前記第２方向における前記一方側への移動を規制する第１規制部と、前記第２方向における他方側で前記舌片部に係合して該舌片部の前記第１方向における前記筐体の外側への移動を規制する第２規制部とが形成されることを特徴とする携帯電子機器に関する。
【０００７】
また、前記舌片部は、前記第２方向における前記他方側に、前記第２規制部が係合する凹部又は開口部が形成されることが好ましい。
【０００８】
また、前記第１規制部は、前記筐体を構成するケース部材に配設され、前記段差部は、前記第１規制部と前記ケース部材の一部とにより挟持されることが好ましい。
【０００９】
また、前記第１規制部と前記第２規制部とは、前記カバー部材を前記筐体に取り付ける場合において、前記舌片部に前記第１規制部と前記第２規制部とが係合して取り付けられるよう前記第１方向に所定間隔をあけて形成されることが好ましい。
【００１０】
また、前記第１規制部は、前記第２規制部よりも前記第１方向における前記筐体外側に形成されることが好ましい。
【００１１】
また、前記第２規制部は、前記舌片部の前記第２方向における前記他方側から前記第２方向における前記一方側へ向かう方向に突出して形成される突起部であり、前記第２規制部又は前記舌片部の少なくとも一方には、前記カバー部材を前記筐体に取り付ける場合に、前記舌片部の先端部が前記第２規制部を乗り越えるための構造を有することが好ましい。
【００１２】
また、前記舌片部の前記第２方向における一方側の面と対向して配置される部材と、を更に備え、前記舌片部は、前記部材によっても前記第２方向における一方側への移動が規制されることが好ましい。
【発明の効果】
【００１３】
本発明によれば、開口部が形成された筐体と、開口に嵌合するカバー本体とカバー本体に延設される舌片部とを有するカバー部材と、を備える携帯電子機器であって、舌片部のスライド方向への移動を規制する規制部と、舌片部のスライド方向に垂直な方向への移動を規制する規制部と有することで、スライド操作時におけるカバー部材のがたつきが抑制された携帯電子機器を提供することができる。
【発明を実施するための最良の形態】
【００１４】
以下、図面を参照して本発明を実施するための最良の形態を説明する。なお、以下、携帯電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、電子辞書、携帯音楽再生装置等であってもよい。
【００１５】
図１及び図２により、携帯電話機１の概要について説明する。図１は、携帯電話機１を開いた状態における正面からの外観斜視図である。図２は、携帯電話機１を開いた状態における裏面からの外観斜視図である。
【００１６】
図１及び図２に示すように、携帯電話機１は、操作部側筐体２と、表示部側筐体３と、を備える。操作部側筐体２と表示部側筐体３とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。ここで、閉状態とは、両筐体が互いに重なるように配置された状態であり、開状態とは、両筐体が互いに重ならないように配置された状態をいう。
【００１７】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力されるマイクのための音声入力部１２とがそれぞれ露出するように構成される。
【００１８】
操作キー群１１は、各種設定や電話帳機能やメール機能等の各種機能を作動させるための第１キー操作部としての機能設定操作キー１３、電話番号の数字やメール等の文字等を入力するための入力操作キー１４、各種操作における決定や上下左右方向のスクロール等を行う操作部材としての決定操作キー１５により構成されている。決定操作キー１５は、第２キー操作部としての環状キー１６と、環状の中央部に形成される中央キー１７とにより構成される。
【００１９】
操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００２０】
音声入力部１２は、操作部側筐体２の長手方向における連結部４側と反対の外端部側に配置される。つまり、音声入力部１２は、携帯電話機１が開状態において一方の外端部側に配置される。
【００２１】
操作部側筐体２における一方側の側面には、外部機器（例えば、ＰＣなど）との接続のための外部接続ケーブルや充電ケーブルやイヤホンケーブルなどが接続される外部コネクタ１８が配置されており、外部コネクタ１８は、カバー部材としてのキャップ１９により覆われている。具体的には、外部コネクタ１８は、操作部側筐体２に形成される開口１８ａから外部に露出可能に操作部側筐体２内に配置される。そして、キャップ１９は、開口１８ａに嵌合して該開口１８ａを閉塞し、外部コネクタ１８が外部に露出しないようにすることができる。また、キャップ１９は、開口１８ａに嵌合しない状態にすることも可能であり、この場合、外部コネクタ１８は開口１８ａを介して外部に露出される。
【００２２】
このキャップ１９は、開口１８ａに嵌合するカバー本体部としてのキャップ本体部１９ａと、キャップ本体部１９ａにおける外部コネクタ１８側の面（図４におけるＸ２方向側の面）から該キャップ本体部１９ａに対して略垂直方向に延びるように延設される舌片部１９ｂとを有する。キャップ１９は、操作部側筐体２にスライド可能に取り付けられる。キャップ本体部１９ａが開口１８ａに嵌合された状態で、舌片部１９ｂは、スライド方向である第１方向（図４におけるＸ方向）に延びるように配置される。つまり、舌片部１９ｂは、キャップ本体部１９ａに第１方向に延びるように延設される。このキャップ１９及び開口１８ａ等の構造は、後に詳述する。
【００２３】
操作部側筐体２の他方側の側面には、所定の機能が割り当てられているサイドキー３１と、外部メモリの挿入及び取り出しが行われるインターフェース（図示せず）とが配置されており、インターフェースは、キャップ３２により覆われている。
【００２４】
表示部側筐体３は、外面がフロントパネル３ａとフロントケース３ｂとリアケース３ｃとリアパネル３ｄとにより構成される。表示部側筐体３におけるフロントケース３ｂには、各種情報を表示するための表示部２１と、通話の相手側の音声を出力するレシーバのための音声出力部２２と、が露出するように構成される。ここで、表示部２１は、液晶パネルと、この液晶パネルを駆動する駆動回路と、この液晶パネルの背面側から光を照射するバックライト等の光源部とから構成される。
【００２５】
次いで操作部側筐体２及び表示部側筐体３の内部構造について説明する。
操作部側筐体２は、フロントケース２ａと、キー構造部と、フレキシブル配線基板と、シールドケース体と、基準電位パターン層及び携帯電話機用のＲＦ（Ｒａｄｉｏ  Ｆｒｅｑｕｅｎｃｙ）モジュール等の各種電子部品を備える回路基板と、バッテリリッド２ｃを備えたリアケース２ｂと、バッテリ８０とを備える。
【００２６】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部と、フレキシブル配線基板と、シールドケース体と、回路基板とが挟まれるようにして内蔵される。つまり、回路基板を覆うようにしてシールドケース体が積層配置され、また、シールドケース体の上面側にフレキシブル配線基板が積層配置され、また、フレキシブル配線基板の上面にキー構造部が積層配置される。
【００２７】
フロントケース２ａには、携帯電話機１を折り畳んだ状態で表示部側筐体３の表示部２１と対向する内側面に複数のキー孔が形成される。複数のキー孔それぞれからは、機能設定操作キー１３を構成する機能設定操作キー部材の押圧面、入力操作キー１４を構成する入力操作キー部材の押圧面、及び決定操作キー１５に含まれる環状キー１６を構成する環状キー部材及び中央キーを構成する中央キー部材の押圧面が露出される。
【００２８】
この露出した機能設定操作キー部材、入力操作キー部材、環状キー部材及び中央キー部材押圧面を押し下げるように押圧することで、対応するキースイッチそれぞれに設けられる後述のメタルドーム（椀状形状）の頂点が押圧され、スイッチ端子に接触して電気的に導通する。
【００２９】
キー構造部は、操作部材と、キーフレームと、キーシートと、により構成される。
操作部材は、複数のキー操作部材により構成される。具体的には、機能設定操作キー部材と、入力操作キー部材と、環状キー部材と、中央キー部材とにより構成される。操作部材を構成する各操作キー部材それぞれは、後述するキーフレームを挟んでキーシートに接着される。キーシートに接着された各操作キー部材それぞれにおける押圧面は、上述の通り、複数のキー孔それぞれから外部に露出して配置される。
【００３０】
キーフレームは、孔部が複数形成された金属性の板状部材である。キーフレームは、入力操作キー部材の押圧による回路基板等への悪影響を防ぐための部材である。また、キーフレームは導電性の部材であり、入力操作キー部材における静電気を逃がすための部材としても機能する。
【００３１】
キーシートは、可撓性を有するシリコンゴム製のシート状部材により構成される。キーシートには、キー操作部材が接合されると共に、キー操作部材を支持する。
【００３２】
フレキシブル配線基板は、キーシート側に配置される複数のキースイッチを有する。複数のキースイッチそれぞれは、キーシートを間に挟んでキー操作部材それぞれと対向（対応）する位置に配置される。複数のキースイッチそれぞれは、椀状に湾曲して立体的に形成された金属板のメタルドームを有する構造になっている。メタルドームは、その椀状形状の頂点が押圧されると、フレキシブル配線基板の表面に印刷された電気回路（図示せず）に形成されるスイッチ端子に接触して電気的に導通するように構成される。なお、フレキシブル配線基板は、複数の絶縁フィルムの間に配線を挟み込んだものである。フレキシブル配線基板は、後述するケース体における平板部に載置される。フレキシブル配線基板がケース体における平板部に載置されるので、操作部材それぞれが押圧されることによる圧力や撓みは、ケース体の下方に配置される回路基板に伝達されにくい。
【００３３】
シールドケース体は、薄型の直方体における一の広い面が開口した形状を有する導電性の部材である。シールドケース体は、平板部における開口側の面に略垂直に形成されるリブを有する。リブは、回路基板に実装される各種電子部品のうち最も高さのある電子部品の高さと同等又はそれよりも十分に高くなるよう形成される。リブは、平板部の周縁及び内側に基準電位パターン層に対応するように形成される。具体的には、シールドケース体が回路基板に載置された状態で、基準電位パターン層上に配置されるようにリブが形成される。なお、シールドケース体は、金属により形成するほか、骨格を樹脂により形成し、その表面に導体膜を形成したものでもよい。シールドケース体は、リブの底面が基準電位パターン層に当接されることで、基準電位パターン層と電気的に接続される。シールドケース体は、基準電位パターン層と電気的に導通して該基準電位パターン層と同じ大きさの電位を有するようになる。つまり、シールドケース体は、シールドケースとして機能する。シールドケース体は、シールドケースとして外部からのノイズが回路基板に配置される不図示の各種電子部品に作用するのを防ぐと共に、ＲＦ（Ｒａｄｉｏ  Ｆｒｅｑｕｅｎｃｙ）回路等の高周波回路から放出されるノイズを吸収して、他の電子部品に作用することを防ぐ。
【００３４】
回路基板には、不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。回路基板には、基準電位パターン層が形成される。基準電位パターン層は、導電性の部材を回路基板表面に所定パターンで印刷することで形成される。
【００３５】
リアケース２ｂには、ユーザの音声を入力する図示しないマイクが収容される。また、図２に示すように、リアケース２ｂには、操作部側筐体２にスライド係合可能で取り外し可能なカバー部材としてのバッテリリッド２ｃが設けられている。バッテリリッド２ｃは、バッテリ８０をリアケース２ｂの外側から収納した後、リアケース２ｂにスライド係合して装着される。逆に、バッテリリッド２ｃを外側にスライドさせることで、バッテリリッド２ｃを操作部側筐体２から外すことができる。
【００３６】
表示部側筐体３は、フロントパネル３ａと、音声出力部２２と、フロントケース３ｂと、表示部２１と、表示部２１が接続されたプリント基板と、リアケース３ｃと、リアパネル３ｄと、を備える。
【００３７】
表示部側筐体３は、フロントパネル３ａと、フロントケース３ｂと、表示部２１と、プリント基板と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００３８】
そして、フロントケース３ｂとリアケース３ｃとの間には、表示部２１が接続されたプリント基板が挟まれるようにして内蔵される。プリント基板には、不図示のアンプと接続されるスピーカが接続される。
【００３９】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００４０】
続けて、図３から図６により、キャップ１９の係合構造について説明する。図３は、キャップ１９の取り付け構造を説明するキャップ１近傍の断面図である。図４は、キャップ１９とキャップ１９をスライド可能に保持する保持部材の構造を説明する図である。図５は、キャップ１９が保持部材にスライド可能に保持された状態を説明する図である。図６（Ａ）は、キャップ１９の構造を説明する図である。図６（Ｂ）は、キャップ１９の構造を説明する他の図である。
【００４１】
図３に示すように、操作部側筐体２には、外部コネクタ１８（ここではイヤホンケーブルが接続されるイヤホンコネクタ）が収容配置される。外部コネクタ１８は、操作部側筐体２に形成される開口１８ａを介して外部に露出可能に配置される。この開口１８ａには、キャップ１９本体と舌片部１９ｂとを有するキャップ１９が、操作部側筐体２の内部に形成される保持部材によりスライド可能に保持される。
【００４２】
図３又は図４に示すように、キャップ１９は、舌片部１９ｂが保持部材を構成する第１規制部としてのガイド部８１、８１により第１方向（図４に示すＸ方向）に垂直な第２方向としてのＹ方向におけるＹ１側への移動が規制された状態で取り付けられる。また、キャップ１９は、舌片部１９ｂが保持部材を構成する第２規制部としてのリブ８２により第１方向としてのＸ方向における操作部側筐体２の外側であるＸ１方向への移動が規制された状態で取り付けられる。ここで、Ｘ方向はスライド方向である。
【００４３】
図４又は図６（Ａ）（Ｂ）に示すように、キャップ１９は、キャップ本体部１９ａと舌片部１９ｂとを有する。舌片部１９ｂはキャップ本体部１９ａの短手方向（図４に示すＹ方向）における一方の辺側に偏って形成される。舌片部１９ｂは、弾性変形可能な板状の部材である。
【００４４】
舌片部１９ｂの第２方向としてのＹ方向側面の両側には、第１方向としてのＸ方向に延びるように厚さが薄くなるように形成された段差部８５、８５が形成される。この段差部８５、８５は、第１規制部としてのガイド部８１、８１と開口１８ａを構成する操作部側筐体２の一部との間に挿入されるように配置される。
【００４５】
舌片部１９ｂは、ガイド部８１、８１における板部８１ａ、８１ａによりＹ方向におけるＹ１方向への移動が規制されると共に、後述する側壁部８１ｃ、８１ｃによりＹ方向に対して垂直であるＺ方向（横方向）への移動が規制される。また、舌片部１９ｂは、開口１８ａを構成する操作部側筐体２の一部によりＹ方向におけるＹ２方向への移動が規制される。これにより、舌片部１９ｂは、ガイド部８１、８１により、その移動がＸ方向に規制されると共に、Ｘ方向にスライド可能に保持される。
【００４６】
また、舌片部１９ｂの先端部におけるＹ方向における段差部８５、８５が形成される側とは反対側のＹ２方向側の面には、第１傾斜部８７が形成される。第１傾斜部８７は、舌片部１９ｂの先端側に向かうに従ってＹ方向におけるＹ１方向に向かって傾斜するように形成される。この第１傾斜部８７は、舌片部１９ｂのＹ方向におけるＹ１方向側を先端側に向かうに従って厚さが薄くなるようにすることで形成される。
【００４７】
この第１傾斜部８７は、舌片部１９ｂ（段差部８５、８５）をガイド部８１、８１（板部８１ａ、８１ａ）に挿嵌させてキャップ１９をＸ方向におけるＸ２方向に移動させて取り付ける場合に、リブ８２における後述する第２傾斜部８２ａに沿ってスライドする部分である。第１傾斜部８７が第２傾斜部８２ａに沿ってスライド移動することで、舌片部１９ｂにおける先端はリブ８２を乗り越える。これにより、リブ８２が後述の長孔部８６に挿入された状態になる。
【００４８】
舌片部１９ｂにおける中央には、被係合部としての長孔部８６が形成される。長孔部８６は、Ｘ方向に延びる長孔状に形成され、リブ８２が挿入可能であると共に係合可能に形成される。長孔部８６のＸ方向における領域に応じて、舌片部１９ｂ（キャップ本体部１９ａ）はスライド可能に構成される。また、後述のように、長孔部８６は、リブ８２と共にキャップ１９の抜けを防止する。
【００４９】
図３に示すように、舌片部１９ｂのＹ方向におけるＹ１方向には、外部コネクタ１８が配置される。この外部コネクタ１８は、舌片部１９ｂのＹ１方向における移動を規制する。外部コネクタ１８は、ガイド部８１、８１と協働して、舌片部１９ｂにおけるＹ１方向への移動を規制する。特に、舌片部１９ｂの先端が内部の奥深く挿入された状態において、該舌片部１９ｂの先端側の部分におけるＹ１方向への移動を規制し、キャップ１９のスライド操作性を向上させる。
【００５０】
図４又は図５に示すように、操作部側筐体２を構成するリアケース２ｂには、ガイド部８１、８１が形成される。ガイド部８１は、Ｙ方向に所定高さで立ち上がる側壁部８１ｃ、８１ｃと、側壁部８１ｃ、８１ｃの端部に形成されＺ方向における開口１８ａの中央側に突出する板部８１ａ、８１ａとにより構成される。
【００５１】
ガイド部８１、８１における板部８１ａ、８１ａと、操作部側筐体２の一部である領域８１ｂとの間には、上述の通り、舌片部１９ｂにおける段差部８５、８５が挿入される。ガイド部８１、８１における板部８１ａ、８１ａと領域８１ｂとは、段差部８５、８５を挟持するように保持して舌片部１９ｂをＸ方向にスライド可能に保持する。
【００５２】
また、リアケース２ｂには、Ｙ方向におけるＹ１方向側に突出するリブ８２が形成される。リブ８２は、ガイド部８１、８１よりも操作部側筐体２の内側（図４に示すＸ２方向側）に形成される。また、リブ８２、８２は、キャップ１９を外側から挿入して取り付ける場合に、舌片部１９ｂがガイド部８１とリブ８２の双方に係合した状態で取り付けられるに十分なＸ方向の間隔をあけて形成される。つまり、舌片部１９ｂの段差部８５、８５がガイド部８１、８１に挿嵌された状態で舌片部１９ｂがリブ８２を乗り越えるために変形するのに十分な間隔を有して形成される。
【００５３】
また、リブ８２は、舌片部１９ｂにける段差部８５、８５が形成される側とは反対側の面に対向して形成される。リブ８２は、舌片部１９ｂにおける段差部８５、８５が形成される面とは反対側から長孔部８６に挿入して係合される。
【００５４】
また、リブ８２は、操作部側筐体２における外側（図４に示すＸ１方向側）に形成される第２傾斜部８２ａを有する。第２傾斜部８２ａは、リブ８２の先端側に向かうに従ってＹ方向におけるＹ１方向側に向かう傾斜が形成される。第２傾斜部８２ａは、スライド移動された舌片部１９ｂが、リブ８２を乗り越えやすくするための構造である。また、第２傾斜部８２ａは、上述の第１傾斜部８７と共に、舌片部１９ｂがリブ８２を乗り越えやすくするための構造である。
【００５５】
リブ８２は、長孔部８６に挿入して該長孔部８６を形成する舌片部１９ｂのＸ２方向における壁部と係合することで、舌片部１９ｂのＸ方向におけるＸ１方向への移動を規制する。つまり、リブ８２は、キャップ１９が抜けることを防止するための抜け防止部材として機能する。
【００５６】
また、図５に示すように、舌片部１９ｂの一方側の面にガイド部８１、８１における板部８１ａが配置されるので、舌片部１９ｂにおける他方側の面側から係合するリブ８２の長孔部８６への係合が維持される。つまり、リブ８２による長孔部８６への係合が解除されにくいので、キャップ１９が抜けにくい。ここで、逆に、キャップ１９を取り付ける場合には、開口１８ａ外側から舌片部１９ｂにおける段差部８５、８５をガイド部８１、８１に挿入すると共に、Ｘ方向におけるＸ１方向にスライド移動させるだけで、第１傾斜部８７及び第２傾斜部８２ａによって舌片部１９ｂの先端部がリブ８２を乗り越えて、リブ８２が長孔部８６に係合され、キャップ１９が操作部側筐体２に取り付けられる。
【００５７】
続けて、キャップ１９を操作部側筐体２に取り付ける手順について説明する。
まず、舌片部１９ｂに形成される段差部８５、８５をガイド部８１、８１に挿入する。そして、段差部８５、８５がガイド部８１、８１に挿入された状態で、舌片部１９ｂが操作部側筐体２の内部側（図４に示すＸ２方向側）に移動するようキャップ本体部１９ａに力を加える。ガイド部８１、８１により舌片部１９ｂの移動はＸ方向に規制されるので、舌片部１９ｂは操作部側筐体２の内部側にスライド移動する。
【００５８】
舌片部１９ｂが操作部側筐体２の内部側にスライド移動することで、舌片部１９ｂの先端側に形成される第１傾斜部８７がリブ８２に形成される第２傾斜部８２ａに当接される。そして、更に舌片部１９ｂを移動させるよう外部から力を更に加えることで、第１傾斜部８７が第２傾斜部８２ａに沿ってスライド移動すると共に、舌片部１９ｂにおける先端がリブ８２を乗り越える。これにより、リブ８２が長孔部８６に挿入され係合状態となる。
【００５９】
更に、舌片部１９ｂを操作部側筐体２の内部側に移動させるよう力を加えることで、キャップ本体部１９ａが開口１８ａに嵌合して該開口１８ａを閉塞する。このようにして、キャップ１９を操作部側筐体２に取り付けることができる。
【００６０】
続けて、操作部側筐体２に取り付けられたキャップ１９の開閉動作について説明する。
まず、開口１８ａに嵌合するように配置されるキャップ本体部１９ａをＸ方向におけるＸ１方向側に移動させる。キャップ本体部１９ａに連設される舌片部１９ｂがガイド部８１、８１により保持されるので、キャップ本体部１９ａはＸ方向におけるＸ１方向にスライド移動される。
【００６１】
そして、キャップ本体部１９ａをＸ方向におけるＸ１方向側に所定距離だけ移動した時点で、リブ８２が長孔部８６の内縁に当接される。これにより、キャップ本体部１９ａのＸ１方向へのそれ以上のスライド移動が規制される。
【００６２】
ついで、キャップ本体部１９ａをこの状態からＸ方向におけるＸ２方向側へ移動させる。この場合においても、キャップ本体部１９ａに連設される舌片部１９ｂがガイド部８１、８１により保持されるので、キャップ本体部１９ａはＸ２方向にスライド移動される。
【００６３】
本実施形態によれば、スライド操作時におけるカバー部材のがたつきが抑制された携帯電子機器を提供することができる。
【００６４】
また、本実施形態によれば、リブ８２において、被係合部である長孔部８６からリブ８２が抜けることを防止する幅広部を舌片部１９ｂよりもＹ１方向側に形成することが不要なので、携帯電子機器を薄型化することができる。
【００６５】
また、本実施形態によれば、キャップ１９における操作部側筐体２への取り付け性を向上させることができる。また、これにより、キャップ１９の操作部側筐体２への取り付け作業の負担を軽減させることができる。また、これにより、携帯電子機器の製造コストを軽減させることができる。
【００６６】
また、本実施形態によれば、操作部側筐体２を組み立てた後からでも、キャップ１９を取り付けることができる。
【００６７】
以上、本形態の好適な実施形態について説明したが、本発明は上述した実施形態に限定されることなく種々の形態で実施することができる。例えば、本実施形態において、リブ８２が係合する被係合部として長孔部８６について説明しているが、これに限定されず、リブ８２の高さが低い場合には段差部８５が形成される面と反対側の面に形成される凹部であってもよい。
【００６８】
また、本実施形態において、ガイド部８１と同様に舌片部１９ｂに第２方向への移動を規制する部材として外部コネクタ１８について説明しているが、これに限定されず、カードコネクタや小型バッテリコネクタ等であってもよい。
【００６９】
また、舌片部１９ｂの材質は特に限定されないが、例えば、ゴムやエラストマー樹脂等の可撓性を有する部材を用いることができる。
【図面の簡単な説明】
【００７０】
【図１】携帯電話機１を開いた状態における正面からの外観斜視図である。
【図２】携帯電話機１を開いた状態における裏面からの外観斜視図である。
【図３】キャップ１９の取り付け構造を説明するキャップ１近傍の断面図である。
【図４】キャップ１９とキャップ１９をスライド可能に保持する保持部材の構造を説明する図である。
【図５】キャップ１９が保持部材にスライド可能に保持された状態を説明する図である。
【図６】（Ａ）キャップ１９の構造を説明する図である。（Ｂ）キャップ１９の構造を説明する他の図である。
【符号の説明】
【００７１】
１        携帯電話機
２        操作部側筐体
３        表示部側筐体
１８      外部コネクタ部
１８ａ    開口部
１９      キャップ
１９ａ    キャップ本体部
１９ｂ    舌片部
８１      ガイド部
８２      リブ
８５      段差部
８６      長孔部
【図１】
2008294767.tif 000003
【図２】
2008294767.tif 000004
【図３】
2008294767.tif 000005
【図４】
2008294767.tif 000006
【図５】
2008294767.tif 000007
【図６】
2008294767.tif 000008